(57)【要約】互いに隣接するセクタ／セル同士の制御チャネルシグナリング間の干渉を軽減する。制御チャネル、特に高周波数再利用方式の直交周波数分割多重接続システムにおける制御チャネルによって生じるシステム資源のドレインを低減するという利点がある。送信装置（１０１）は、複数のユーザ装置（１０２）に一次制御チャネル情報を送信する。一次制御チャネル情報は、複数のユーザ装置のうちの少なくとも１つに第１直交周波数分割多重接続資源領域（３２０，３３０）が割当てられているという指標を含む。送信装置は、第１直交周波数分割多重接続資源領域を使用して、前記少なくとも１つのユーザ装置に二次制御チャネル情報を送信する。
2009525628.tif 000002
【特許請求の範囲】
【請求項１】
制御チャネル情報の伝達方法であって、前記伝達方法は、
第１直交周波数分割多重接続資源領域を、複数のユーザ装置のうちの少なくとも１つに割当てることと、
前記複数のユーザ装置に一次制御チャネル情報を送信することであって、前記一次制御チャネル情報は前記第１直交周波数分割多重接続資源領域が前記少なくとも１つのユーザ装置に割当てられているという指標を含むことと、および、
前記第１直交周波数分割多重接続資源領域が割当てられた前記少なくとも１つのユーザ装置に、二次制御チャネル情報を送信することと
を含む、伝達方法。
【請求項２】
前記一次制御チャネル情報の送信は、パイロット情報と共に、送信フレームの第１部分に前記一次制御チャネル情報を送信することを含む、請求項１に記載の伝達方法。
【請求項３】
前記一次制御チャネル情報の送信は、
複数の直交周波数分割多重接続制御領域のうちの１つを介して前記一次制御チャネル情報を送信することであり、
前記直交周波数分割多重接続制御領域のそれぞれは、互いに異なる組の周波数副搬送波と、互いに異なる組の直交周波数分割多重シンボルとのうちの少なくとも１つである、請求項１に記載の伝達方法。
【請求項４】
前記伝達方法は更に、前記一次制御チャネル情報を、前記複数の直交周波数分割多重接続制御領域のうちの第２直交周波数分割多重接続制御領域を介して、複数の第２ユーザ装置に送信することを含む、請求項３に記載の伝達方法。
【請求項５】
各々の前記直交周波数分割多重接続制御領域は、前記周波数副搬送波の組を占め、
前記周波数副搬送波の組は、互いに隣接するカバレッジエリアを有する少なくとも１つの他の送信器によっては、前記一次制御チャネル情報を送信するために使用されていない、請求項３に記載の伝達方法。
【請求項６】
前記複数のユーザ装置は、セルのセクタの送信器によってサービスを提供され、
互いに隣接するカバレッジエリアを有する前記少なくとも１つの他の送信器は、前記セルの別のセクタの送信器を備える、請求項５に記載の伝達方法。
【請求項７】
送信ダイバーシチは、前記一次制御チャネル情報と前記二次制御チャネル情報のうちの少なくとも１つを送信するように適用される、請求項１に記載の伝達方法。
【請求項８】
適用される前記送信ダイバーシチは、
時空間ブロック符号化と、
空間周波数ブロック符号化と、および、
サイクリック・シフト・ダイバーシチと
のうちの１種類である、請求項７に記載の伝達方法。
【請求項９】
前記一次制御チャネル情報の送信は、セクタ固有のスクランブルコードを送信信号生成の一部として適用することを含み、
前記二次制御チャネル情報の送信は、セクタ固有のスクランブルコードを送信信号生成の一部として適用することを含む、請求項１に記載の伝達方法。
【請求項１０】
前記一次制御チャネル情報は、前記二次制御チャネル情報の少なくとも第１部分の位置を特定し且つ復号化するために前記少なくとも１つのユーザ装置が必要とする情報を含む、請求項１に記載の伝達方法。
【請求項１１】
前記二次制御チャネル情報は、前記一次制御チャネル情報に含まれる情報に加え、前記二次制御チャネル情報のうちの少なくとも第２部分を復号化するために前記少なくとも１つのユーザ装置が必要とする情報を含む、請求項１０に記載の伝達方法。
【請求項１２】
前記一次制御チャネル情報は、
直交周波数分割多重接続資源領域の割当と、
前記直交周波数分割多重接続資源領域に対する変調指定子と、および、
ユーザ装置識別子と、
に関する制御情報のうちの少なくとも幾つかを含む、請求項１に記載の伝達方法。
【請求項１３】
前記二次制御チャネル情報は、
直交周波数分割多重接続資源領域の割当と、
前記直交周波数分割多重接続資源領域の割当てが分散されているか否かの指標、またはローカライズされているか否かの指標と、
スマートアンテナ情報と、
変調指定子と、
複合再伝送方式の冗長性バージョンおよび新しいデータ指標と、
電力制御情報と、
スケジューリング情報と、および、
タイミングアドバンス情報と
に関する制御情報のうちの少なくとも幾つかを含む、請求項１に記載の伝達方法。
【請求項１４】
前記第１直交周波数分割多重接続資源領域を前記少なくとも１つのユーザ装置に割当てることは、
前記第１直交周波数分割多重接続資源領域は、前記少なくとも１つのユーザ装置の前記カバレッジエリアに隣接するカバレッジエリア内の何れのユーザ装置にも割当てられていないことと、
前記第１直交周波数分割多重接続資源領域は、第１送信電力閾値よりも大きなダウンリンク送信電力を必要とする前記少なくとも１つのユーザ装置の前記カバレッジエリアに隣接するカバレッジエリア内の何れのユーザ装置にも割当てられていないことと、
前記第１直交周波数分割多重接続資源領域は、前記少なくとも１つのユーザ装置の前記カバレッジエリアに隣接する少なくとも１つのカバレッジエリア内のうちの少なくとも１つの他のユーザ装置に割当てられるが、前記少なくとも１つのユーザ装置は第２送信電力閾値よりも小さなダウンリンク送信電力のみを必要とすることと、および、
前記第１直交周波数分割多重接続資源領域は、前記少なくとも１つのユーザ装置の前記カバレッジエリアに隣接する少なくとも１つのカバレッジエリア内の直交周波数分割多重接続制御領域に対応するが、前記少なくとも１つのユーザ装置は第３送信電力閾値よりも小さなダウンリンク送信電力のみを必要とすることと
のうちの少なくとも１つの条件が当てはまる場合、前記第１直交周波数分割多重接続資源領域を前記少なくとも１つのユーザ装置に割当てることを含む、請求項１に記載の伝達方法。
【請求項１５】
前記少なくとも１つのユーザ装置の前記カバレッジエリアに隣接する前記カバレッジエリアは、前記セクタ化されたセルの他のセクタを含み、前記他のセクタの一部は、前記少なくとも１つのユーザ装置にサービスを提供するセクタである、請求項１４に記載の伝達方法。
【請求項１６】
反復符号化は、前記一次制御チャネル情報と前記二次制御チャネル情報のうちの少なくとも１つを送信するために使用される、請求項１に記載の伝達方法。
【請求項１７】
使用される前記反復符号化は、２，４，６および８から選択される反復係数に関係する、請求項１６に記載の伝達方法。
【請求項１８】
制御チャネル情報の受信方法であって、前記受信方法は、
直交周波数分割多重接続のダウンリンクを介して一次制御チャネル情報を受信することであって、前記一次制御チャネル情報は第１直交周波数分割多重接続資源領域が少なくとも１つのユーザ装置に割当てられているという指標を含むことと、および、
前記指標を受信することによって、前記第１直交周波数分割多重接続資源領域を介して二次制御チャネル情報を受信することと
を含む、受信方法。
【請求項１９】
通信装置であって、前記通信装置は、
送信器と、
前記送信器に通信可能に接続される送信処理ユニットと
を備え、前記送信処理ユニットは、
第１直交周波数分割多重接続資源領域を、複数のユーザ装置のうちの少なくとも１つに割当てるように構成され、
前記送信器を介して、前記複数のユーザ装置に一次制御チャネル情報を送信するように構成され、前記一次制御チャネル情報は前記第１直交周波数分割多重接続資源領域が前記少なくとも１つのユーザ装置に割当てられているという指標を含み、
更に前記送信処理ユニットは、前記送信器を介して、前記第１直交周波数分割多重接続資源領域内の前記少なくとも１つのユーザ装置に二次制御チャネル情報を送信するように構成される、通信装置。
【請求項２０】
通信装置であって、前記通信装置は、
受信器と、
前記受信器に通信可能に接続される受信処理ユニットと
を備え、前記受信処理ユニットは、
前記受信器によって受信される直交周波数分割多重接続のダウンリンク信号を介して、一次制御チャネル情報を受信するように構成され、前記一次制御チャネル情報は前記第１直交周波数分割多重接続資源領域が前記通信装置に割当てられているという指標を含み、
前記受信処理ユニットは更に、前記受信器を介して前記指標を受信することによって、前記第１直交周波数分割多重接続資源領域内の二次制御チャネル情報を受信するように構成される、通信装置。
【請求項２１】
前記送信処理ユニットは更に、前記送信器を介して、パイロット情報とともに送信フレームの第１部分の前記一次制御チャネル情報を送信するように構成される、請求項１９に記載の通信装置。
【請求項２２】
前記送信処理ユニットは更に、前記送信器によって、複数の直交周波数分割多重接続制御領域のうちの１つを介して前記一次制御チャネル情報を送信するように構成され、
各々の前記直交周波数分割多重接続制御領域は、
互いに異なる周波数副搬送波の組と、
互いに異なる直交周波数分割多重シンボルの組とのうちの少なくとも１つを占める、請求項１９に記載の通信装置。
【請求項２３】
送信ダイバーシチは、前記一次制御チャネル情報と前記二次制御チャネル情報のうちの少なくとも１つを送信するように適用される、請求項１９に記載の通信装置。
【請求項２４】
前記一次制御チャネル情報は、前記二次制御チャネル情報の少なくとも第１部分の位置を特定し且つ復号化するために前記少なくとも１つのユーザ装置が必要とする情報を含み、
前記二次制御チャネル情報は、前記一次制御チャネル情報に含まれる情報と、前記二次制御チャネル情報の少なくとも第２部分を復号化するために前記少なくとも１つのユーザ装置が必要とする情報とを含む、請求項１９に記載の通信装置。
【発明の詳細な説明】
【技術分野】
【０００１】
本発明は概して通信に関し、特に直交周波数分割多重接続（ＯＦＤＭＡ）システムにおける制御チャネル情報の伝達に関する。
【背景技術】
【０００２】
現在、第３世代（３Ｇ）移動体通信システム標準化プロジェクト（３ＧＰＰ）などの標準化団体は、進化型ＵＭＴＳ（ユニバーサル移動通信システム）陸上無線アクセス（Ｅ−ＵＴＲＡ）システムに対する標準化仕様を開発中である。第３世代移動体通信システム標準化プロジェクトには、ｈｔｔｐ：／／ｗｗｗ．３ｇｐｐ．ｏｒｇ／を通して連絡可能である。現在、直交周波数分割多重接続は、第３世代移動体通信システム標準化プロジェクト進化のダウンリンク技術の有力候補であり、周波数再利用係数「１」が検討されている。
【発明の開示】
【発明が解決しようとする課題】
【０００３】
しかし、そのような周波数再利用計画では、１つのセクタまたはセル内の制御チャネルが、他のセクタまたはセル内の様々なチャネルから干渉を受けることがある。干渉は、セクタ端またはセル端における重大な性能低下をもたらす場合がある。高再利用方式の共通制御チャネルは、必要なレベルの信頼性を達成すべく、システムの限定された帯域幅において電力を比較的大量に消費すると予期される。従って、特に高再利用直交周波数分割多重接続システムにおいて、システム資源上のドレインを低減できるように改良された制御チャネル情報伝達方法と通信装置が望ましいことがある。
【課題を解決するための手段】
【０００４】
送信装置は、複数のユーザ装置に一次制御チャネル情報を送信する。一次制御チャネル情報は、第１直交周波数分割多重接続資源領域が複数のユーザ装置のうちの少なくとも１つに割当てられているという指標を含む。送信装置は、第１直交周波数分割多重接続資源領域を使用して、少なくとも１つのユーザ装置に二次制御チャネル情報を送信する。
【０００５】
互いに隣接するセクタ同士またはセル同士の間における、制御チャネルシグナリング干渉を軽減できる様々な実施形態が記述される。潜在的に、これらの技術には、制御チャネル（特に高周波数再利用方式の直交周波数分割多重接続システムにおける制御チャネル）によって生じるシステム資源のドレインを低減するという利点がある。
【０００６】
以下の記述と図示は何れも、理解を深めることを意図して起草される。たとえば実施形態において、支障無く明瞭な提示が達成されるように、図の要素の幾つかの寸法は、他の要素に対して誇張される場合があり、また実施を商業的に成功させるために有益であるか、または必要なことさえある周知の要素が、図示されていないこともある。更に、特に示されない限り、シグナリングの順序とグループ分けは、請求の範囲内にあり得る他の実施形態を限定されない。
【０００７】
図示と記述の両方における単純さと明瞭さは、当業者が、当該技術分野において既に公知であることを考慮して本発明をなし、使用し、最良に実施することを効果的に可能にするために必要なものである。当業者であれば分かるように、本発明の精神と範囲から逸脱することなく、後述する特定の実施形態に対して様々な修正と変更を行なうことが可能である。従って、明細書と図面は、限定的なものまたはすべてを包含するものとしてではなく、例示的且つ典型的なものとみなされるべきであり、後述する特定の実施形態に対するこのような修正はすべて、本発明の範囲内に包含されるように意図される。
【発明を実施するための最良の形態】
【０００８】
図１〜図４は、本発明の一実施形態を開示する。図１は、本発明の複数の実施形態に係る無線通信システム１００のブロック図である。現在、オープン・モバイル・アライアンス（ＯＭＡ）、第３世代移動体通信システム標準化プロジェクト（３ＧＰＰ）、第３世代移動体通信システム標準化第２プロジェクト（３ＧＰＰ２）、および電気電子学会（ＩＥＥＥ）８０２などの標準化団体は、無線遠距離通信システムに対する標準化仕様を開発中である。これらのグループには、ｈｔｔｐ：／／ｗｗｗ．ｏｐｅｎｍｏｂｉｌｅａｌｌｉａｎｃｅ．ｃｏｍ、ｈｔｔｐ：／／ｗｗｗ．３ｇｐｐ．ｏｒｇ／、ｈｔｔｐ：／／ｗｗｗ．３ｇｐｐ２．ｃｏｍ／、およびｈｔｔｐ：／／ｗｗｗ．ｉｅｅｅ８０２．ｏｒｇ／を通してそれぞれ連絡可能である。無線通信システム１００は、本発明を実施するために適切に修正された一または複数の第３世代移動体通信システム標準化プロジェクト技術（新進の進化型ＵＭＴＳ陸上無線アクセス技術など）による構造を有するシステムを代表する。本発明の代替実施形態は、たとえば第３世代移動体通信システム標準化第２プロジェクト仕様書に記述されるもの、および／またはＩＥＥＥ８０２．ｘｘの仕様書に記述されるものなどであるがこれらに限定されない他の技術または付加的な技術を採用した通信システムによって実施可能である。
【０００９】
無線通信システム１００は、非常に一般的な形式で図示される。特に、送信装置１０１と受信装置１０２がダウンリンク１１０を介して通信するように示される。送信装置１０１と受信装置１０２はそれぞれ通信装置である。実施形態に応じて、送信装置１０１は、無線アクセスネットワーク（ＲＡＮ）の一部を表わすことが可能である。受信装置１０２は、ユーザ装置（ＵＥ）であることが可能である。当業者であれば分かるように、図１は、無線通信システム１００が動作するのに必要な物理的な固定ネットワークのコンポーネントのすべてを図示するわけではなく、本実施形態の記述に特に関連するシステムコンポーネントと論理エンティティのみを図示する。
【００１０】
図１は、送信処理ユニット１０３と送信器１０５を備える送信装置１０１と、受信処理ユニット１０４と受信器１０６を備える受信装置１０２とを示す。一般的に、処理ユニット、送信器、および受信器などのコンポーネントは周知である。たとえば送信処理ユニット１０３や受信処理ユニット１０４は、マイクロプロセッサ、マイクロコントローラ、メモリ装置、特定用途向け集積回路（ＡＳＩＣ）、および／または論理回路などの基本的なコンポーネントを備えることが知られるが、これらに限定されずまた必ずしも全て必要ではない。このようなコンポーネントは、通常、アルゴリズムおよび／またはプロトコルをインストールするように構成され、高レベルのデザイン言語または記述を用いて表現されるもの、コンピュータ指令を用いて表現されるもの、シグナリングフローチャートを用いて表現されるもの、および／または論理フローチャートを用いて表現されるものである。
【００１１】
従って、当業者であれば、高レベルの記述、アルゴリズム、論理フロー、メッセージング／シグナリングフロー、および／またはプロトコル仕様が与えられれば、与えられた論理を実行する送信処理ユニット１０３や受信処理ユニット１０４をインストールするために利用可能な多くの設計と開発技術に気付くであろう。従って送信装置１０１と受信装置１０２は、本発明の複数の実施形態を実施するように構成された公知の装置を表わす。当業者ならば理解するように、本発明の態様は、様々な物理的コンポーネント内に、およびこれらコンポーネントに亘ってインストール可能であり、またどの態様についても必ずしも単一のプラットフォームへのインストールに限定されるわけではない。たとえば送信装置１０１は、基地局（ＢＴＳ）または基地局制御装置（ＢＳＣ）などの一または複数の無線アクセスネットワークコンポーネント内に、またはこれら無線アクセスネットワークコンポーネントに亘ってインストール可能である。またユーザ装置（受信装置１０２）に関して、ユーザ装置プラットフォームは、多種多様の消費者向け電子プラットフォームを指すことが知られる。これら消費者向け電子プラットフォームは、たとえばアクセス端末（ＡＴ）、移動局（ＭＳ）、端末機器、携帯装置、ゲーム装置、パーソナルコンピュータ、携帯情報端末（ＰＤＡ）、ケーブルセットトップボックス、または衛星セットトップボックスであるが、これらに限定されない。
【００１２】
更に当業者であれば分かるように、図１のダウンリンク１１０は、無線通信システム１００の完全な動作に必要なシグナリングを必ずしもすべて図示するわけではない。たとえば実施形態に応じて、送信装置１０１と受信装置１０２の間のエアインタフェースは、アップリンクおよびダウンリンクのシグナリングの何れを備えてよく、特にユーザサービスをサポートするために動的割当と割当解除されるトラフィックチャネル、ブロードキャストチャネル、ページングチャネル、アクセスチャネル、または共通制御チャネルなどの様々な種類の周知のノン・トラフィックチャネルを備えることも可能である。これらチャネルはすべて、使用される特定の第３世代移動体通信システム標準化プロジェクトシグナリング技術に従う。
【００１３】
本発明に係る実施形態の動作は、実質的に以下のように行なわれる。送信処理ユニット１０３は、第１直交周波数分割多重接続資源領域を、一または複数のユーザ装置に割当てる。記述を簡略化するために、第１直交周波数分割多重接続資源領域が受信装置１０２に割当てられると仮定する。しかし、更に他のユーザ装置が直交周波数分割多重接続資源の割当対象になることが可能である。また、受信装置１０２の替わりに、他のユーザ装置が直交周波数分割多重接続資源の割当対象になることが可能である。たとえば第１直交周波数分割多重接続資源領域を、同じ通信セッションに参加するユーザ装置たとえばグループコール、ブロードキャスト、ゲームなどのグループに割当てできる。
【００１４】
次に、送信処理ユニット１０３は、送信器１０５を使用して、ダウンリンク１１０を介して一次制御チャネル情報を送信する。多くの実施形態では、一次制御チャネル情報は、共有制御チャネル情報として効率的に送信される。一次制御チャネル情報は、送信器１０５のカバレッジエリア内において傍受するすべてのユーザ装置（受信装置１０２）に向けられる。一次制御チャネル情報は、第１直交周波数分割多重接続資源領域を一または複数の受信装置１０２に割当てているという指標を含む。送信処理ユニット１０３は、第１直交周波数分割多重接続資源領域を使用して、二次制御チャネル情報を一または複数の受信装置１０２に送信する。受信処理ユニット１０４は、受信器１０６を介して、一次制御チャネル情報を受信する。一次制御チャネル情報は、受信装置１０２に直交周波数分割多重接続資源領域が割当てられているという指標を含む。受信装置１０２は、一次制御チャネル情報の受信によって割当てられた領域を用いて、二次制御チャネル情報を受信する。
【００１５】
実際には、送信装置１０１は、一次制御チャネルと、一または複数の二次制御チャネルとの両方を送信する。図２の論理ブロック図２００は、一次制御チャネルと二次制御チャネルの関係の一例を示す。一次制御チャネル情報は、ユーザ装置（受信装置１０２）がそれぞれ割当てられた二次制御チャネルのうちの少なくとも一部の位置を特定し、且つ復号化するために受信装置１０２が必要とする情報を含む。たとえば一次制御チャネル情報は、傍受する受信装置１０２が二次制御チャネルを復号化できるようにする共通情報を含むことができる。または共通情報は、すべての二次制御チャネルに適用可能な、復号に関する情報のみを含むこともできる。次に、個々の二次制御チャネルは、二次制御チャネルを介して伝達された付加的な情報を復号化するための補足情報（たとえばデータ部分）を提供できる（たとえば図３の直交周波数分割多重接続領域３２０を参照）。
【００１６】
更に一次制御チャネル情報は、任意の共通情報に加えて、二次制御チャネルが占める直交周波数分割多重接続資源領域の指標も幾つか含む。一般的に、直交周波数分割多重接続資源領域は、幾つかの直交周波数分割多重接続シンボル期間に対する、周波数副搬送波のグループを表わす。従って、特定の直交周波数分割多重接続資源領域の指標は、何らかの容易に得られる技術または規則によって、直交周波数分割多重接続資源領域の境界を伝達する。
【００１７】
二次制御チャネルを介して伝達される情報は、実施形態において多様な形態を取ることができる。異なる実施形態では、傍受する受信装置１０２のすべてに伝達される情報量に対して、対象となる二次制御チャネルを介して送信されることの異なる程度を最小化することを追求可能である。実施形態によって、どの情報が一次制御チャネル対二次制御チャネルを介して送信可能であるかが実質的に変わることがある。二次制御チャネル情報は、直交周波数分割多重接続資源領域が割当てられる受信装置１０２に対して、データと制御情報の何れかまたは両方を含むことが可能である（たとえば図３の直交周波数分割多重接続領域３２０，３３０、または図４の４２０を参照）。
【００１８】
また二次制御チャネル情報は、アップリンクまたはダウンリンク動作に関係可能である。二次制御チャネル情報として伝達されても伝達されなくてもよい情報の一層詳細な種類の例には、以下に挙げるものがあるが、これらに限定されない。たとえば二次制御チャネル情報は、直交周波数分割多重接続資源領域の割当の指標、直交周波数分割多重接続資源領域の割当が分散されている否かの指標、またはローカライズされているか否かの指標、スマートアンテナ情報、変調指定子、ハイブリッド自動再送要求（ＨＡＲＱ。複合再伝送方式）の冗長性バージョン、および新しいデータ指標、電力制御情報、スケジューリング情報、およびタイミングアドバンス情報などである。
【００１９】
図３と図４は、制御チャネルの構成例を示す直交周波数分割多重接続資源領域マップのブロック図である。図３と図４はそれぞれ、重複しつつ異なる実施形態のグループに従う。一次制御チャネル情報は、直交周波数分割多重接続制御領域を介して送信される。直交周波数分割多重接続資源領域と同様に、直交周波数分割多重接続制御領域は、幾つかの直交周波数分割多重接続シンボル期間に対する一または複数の周波数副搬送波を表わす。従って、それぞれの直交周波数分割多重接続制御領域は、周波数副搬送波の互いに異なる組と、直交周波数分割多重シンボル（ＯＦＤＭシンボル）の互いに異なる組とのうちの少なくとも一方を表わすことが可能である。従って、直交周波数分割多重接続制御領域の互いに異なる多くの配置が可能である。ブロック図３００とブロック図４００は、幾つかの例を示すが、決して包括的にすべての可能性を例示するわけではない。
【００２０】
たとえばブロック図４００では、第１制御領域４０１，第２制御領域４０２，第３制御領域４０３，および第４制御領域４０４はそれぞれ一次制御チャネル４１０の一部として例示される。しかし、第１制御領域４０１〜第４制御領域４０４のそれぞれは、むしろ互いに個別の一次制御チャネルとして見なされることができる。幾つかの実施形態では、第１制御領域４０１〜第４制御領域４０４は、それぞれが互いに異なる変調と符号化レートを利用できる。つまり、第１制御領域４０１〜第４制御領域４０４のそれぞれは、互いに異なる適応変調と符号化（ＡＭＣ）制御領域ということである。このようなアプローチの更なる詳細は、２００５年１０月３日に出願された「制御チャネルの送受信方法および装置」と題する係属中の米国特許出願第１１／２４２２５４号から入手できる。
【００２１】
ブロック図３００は、ブロック図４００に代えて、またはブロック図４００に示される実施形態の幾つかに加えて、制御領域は、セクタ化されたセルのセクタに亘って多重化された周波数分割であることが可能なことを例示する。制御領域は、他の隣接するカバレッジエリア、セルからセル、セクタからセルに亘って多重化された周波数分割であることも可能である。つまり第１一次制御チャネル３１０，第２一次制御チャネル３１１，および第３一次制御チャネル３１２の個々の制御領域では、周波数は重複しない。よって、第１一次制御チャネル３１０〜第３一次制御チャネル３１２間の干渉を低減できる。また、スケジューリングを通じて１つのカバレッジエリアから次のカバレッジエリアへと直交周波数分割多重接続資源を再利用する新しい機会を、幾つか提供できる。たとえば制御領域として１つの送信器によって使用される共通の直交周波数分割多重接続資源領域は、一または複数の低電力ユーザ装置に対する、互いに隣接したカバレッジエリア内の送信器によって使用できる。互いに隣接したカバレッジエリア内の送信器は、たとえば低電力データユーザであることもある。一または複数の低電力ユーザ装置は、特定の電力閾値よりも小さなダウンリンク送信電力を必要とする。
【００２２】
同様のスケジューリング技術も、直交周波数分割多重接続資源領域を二次制御チャネルに割当てるのに使用可能である。たとえば制御領域３０１を介して伝達される一次制御チャネル情報は、直交周波数分割多重接続資源領域３２０が第ｋユーザ装置（受信装置１０２）に割当てられることを示す。ブロック図３００には示さないが、第１セクタの直交周波数分割多重接続資源領域３２０に対応する第２セクタの直交周波数分割多重接続資源領域を、第２セクタのカバレッジエリア内の一または複数の低電力装置に割当てることもできる。また、第１セクタの直交周波数分割多重接続資源領域３２０に対応する第２セクタの直交周波数分割多重接続資源領域を、第２セクタのカバレッジエリア内と、更に場合によって第３セクタのカバレッジエリア内の一または複数の低電力装置に割当てることもできる。その時点において第ｋユーザ装置は低電力装置ではないことが前提である。低電力装置は、特定の電力閾値よりも小さなダウンリンク送信電力を必要とする。代わりに、送信を行なうために第ｋユーザ装置を低電力装置と見なす場合、第２セクタと第３セクタのうちの何れかにおける、低電力とは見なされない一または複数の装置が対応する資源に割当てられる。
【００２３】
一次制御チャネルシグナリングと二次制御チャネルシグナリングの両方の性能を更に向上させるために、他の様々な技術を採用可能である。たとえば一次制御チャネル情報を、パイロット情報と共に、直交周波数分割多重接続フレームの開始部近傍に送信できる。別の例では、何れかまたはすべての制御チャネルシグナリングの送信信号を生成すために、セクタ固有のスクンブルコードを使用する。更に、一次制御チャネル情報と二次制御チャネル情報のうちの何れかまたは両方を送信する際に、或る種類の送信ダイバーシチを使用可能である。使用可能な送信ダイバーシチの種類には、時空間ブロック符号（ＳＴＢＣ）、空間周波数ブロック符号（ＳＦＢＣ）、またはサイクリック・シフト・ダイバーシチ（ＣＳＤ）が含まれるが、これらに限定されない。
【００２４】
更に、一次制御チャネルシグナリングと二次制御チャネルのセルのカバレッジエリアは、反復符号化を使用することによって改善可能であることも予想される。反復符号化を使用することによって、干渉制限シナリオ下で、セルエリアに亘って高い信頼性を達成できると考えられる。
【００２５】
本発明の特定の実施形態に関して、利益、他の利点、および問題の解決法を上述した。しかし、利益、利点、問題の解決法、および、このような利益、利点、または解決法を生じさせるかもしくはもたらすか、あるいは、このような利益、利点、または解決法を一層明白にするいかなる要素も、何れかもしくはすべての請求の範囲の重大な、必要な、または必須の特徴もしくは要素として解釈してはならない。
【００２６】
本明細書と添付の請求の範囲で用いられるように、用語「備える／含む（ｃｏｍｐｒｉｓｅ）」、「備える／含む（ｃｏｍｐｒｉｓｉｎｇ）」、またはそれらの他のどのような変形形も、非排他的な包含を指し示すように意図される。その結果、要素のリストを含む処理、方法、製品、または装置は、リスト内のこれらの要素だけを含むのではなく、明示的にリストにされていない、またはこのような処理、方法、製品、または装置に固有の他の要素を含むことも可能である。用語「ａ」または「ａｎ」は、ここで用いられるように、１つまたは複数として定義される。用語「複数」は、ここで用いられるように、２つ以上として定義される。用語「別の」は、ここで用いられるように、少なくとも２番目またはそれ以降として定義される。用語「備える／含む（ｉｎｃｌｕｄｉｎｇ）」および／または「有する（ｈａｖｉｎｇ）」は、ここで用いられるように、「備える／含む（ｃｏｍｐｒｉｓｉｎｇ）」として定義される（つまりオープンエンド）。用語「結合（coupled to。接続）される」は、ここで用いられるように、必ずしも直接的で、必ずしも機械的ではないが、「接続される）」と定義される。単語「示す」（たとえば「示す」および「指標」など）から派生する専門用語は、示される対象物と通信したり、当該対象物を参照したりするために利用可能なすべての様々な技術を包含すると意図される。示される対象物と通信したり、当該対象物を参照したりするために利用可能な技術のすべての例ではないが、その幾つかの例は、示されている対象物の伝達、示されている対象物の識別子の伝達、示されている対象物を生成するために使用される情報の伝達、示されている対象物の或る部分の伝達、示されている対象物の或る派生物の伝達、および、示されている対象物を表わす或るシンボルの伝達を含む。用語「プログラム」、「コンピュータプログラム」、および「コンピュータ指令」は、ここで用いられるように、コンピュータシステム上での実行用に設計された一連の指令として定義される。この一連の指令には、サブルーチン、機能、手順、オブジェクト法、オブジェクト実施、実行可能なアプリケーション、アプレット、サーブレット、共有ライブラリ／動的ロードライブラリ、ソースコード、オブジェクトコード、および／またはアセンブリコードが含まれることが可能であるが、これらに限定されない。
【図面の簡単な説明】
【００２７】
【図１】本発明の実施形態に係る無線通信システムのブロック図。
【図２】本発明の複数の実施形態に係る一次制御チャネルと二次制御チャネルの関係のブロック図。
【図３】本発明の第１グループの実施形態に係る制御チャネルの構成例を示す直交周波数分割多重接続資源の領域マップのブロック図。
【図４】本発明の第２グループの実施形態に係る制御チャネルの構成例を示す直交周波数分割多重接続資源の領域マップのブロック図。
【図１】
2009525628.tif 000003
【図２】
2009525628.tif 000004
【図３】
2009525628.tif 000005
【図４】
2009525628.tif 000006
【手続補正書】
【提出日】平成20年7月30日(2008.7.30)
【手続補正１】
【補正対象書類名】特許請求の範囲
【補正対象項目名】全文
【補正方法】変更
【補正の内容】
【特許請求の範囲】
【請求項１】
制御チャネル情報の伝達方法であって、前記伝達方法は、
第１直交周波数分割多重接続資源領域を、複数のユーザ装置のうちの少なくとも１つに割当てることと、
前記複数のユーザ装置に一次制御チャネル情報を送信することであって、前記一次制御チャネル情報は前記第１直交周波数分割多重接続資源領域が前記少なくとも１つのユーザ装置に割当てられているという指標を含むことと、および、
前記第１直交周波数分割多重接続資源領域が割当てられた前記少なくとも１つのユーザ装置に、二次制御チャネル情報を送信することと
を含む、伝達方法。
【請求項２】
前記一次制御チャネル情報の送信は、パイロット情報と共に、送信フレームの第１部分に前記一次制御チャネル情報を送信することを含む、請求項１に記載の伝達方法。
【請求項３】
前記一次制御チャネル情報の送信は、
複数の直交周波数分割多重接続制御領域のうちの１つを介して前記一次制御チャネル情報を送信することであり、
前記直交周波数分割多重接続制御領域のそれぞれは、互いに異なる組の周波数副搬送波と、互いに異なる組の直交周波数分割多重シンボルとのうちの少なくとも１つである、請求項１に記載の伝達方法。
【請求項４】
前記伝達方法は更に、前記一次制御チャネル情報を、前記複数の直交周波数分割多重接続制御領域のうちの第２直交周波数分割多重接続制御領域を介して、複数の第２ユーザ装置に送信することを含む、請求項３に記載の伝達方法。
【請求項５】
各々の前記直交周波数分割多重接続制御領域は、前記周波数副搬送波の組を占め、
前記周波数副搬送波の組は、互いに隣接するカバレッジエリアを有する少なくとも１つの他の送信器によっては、前記一次制御チャネル情報を送信するために使用されておらず、
前記複数のユーザ装置は、セルのセクタの送信器によってサービスを提供され、
互いに隣接するカバレッジエリアを有する前記少なくとも１つの他の送信器は、前記セルの別のセクタの送信器を備える、請求項３に記載の伝達方法。
【請求項６】
前記一次制御チャネル情報は、前記二次制御チャネル情報の少なくとも第１部分の位置を特定し且つ復号化するために前記少なくとも１つのユーザ装置が必要とする情報を含み、
前記二次制御チャネル情報は、前記一次制御チャネル情報に含まれる情報に加え、前記二次制御チャネル情報のうちの少なくとも第２部分を復号化するために前記少なくとも１つのユーザ装置が必要とする情報を含む、請求項１に記載の伝達方法。
【請求項７】
前記第１直交周波数分割多重接続資源領域を前記少なくとも１つのユーザ装置に割当てることは、
前記第１直交周波数分割多重接続資源領域は、前記少なくとも１つのユーザ装置の前記カバレッジエリアに隣接するカバレッジエリア内の何れのユーザ装置にも割当てられていないことと、
前記第１直交周波数分割多重接続資源領域は、第１送信電力閾値よりも大きなダウンリンク送信電力を必要とする前記少なくとも１つのユーザ装置の前記カバレッジエリアに隣接するカバレッジエリア内の何れのユーザ装置にも割当てられていないことと、
前記第１直交周波数分割多重接続資源領域は、前記少なくとも１つのユーザ装置の前記カバレッジエリアに隣接する少なくとも１つのカバレッジエリア内のうちの少なくとも１つの他のユーザ装置に割当てられるが、前記少なくとも１つのユーザ装置は第２送信電力閾値よりも小さなダウンリンク送信電力のみを必要とすることと、および、
前記第１直交周波数分割多重接続資源領域は、前記少なくとも１つのユーザ装置の前記カバレッジエリアに隣接する少なくとも１つのカバレッジエリア内の直交周波数分割多重接続制御領域に対応するが、前記少なくとも１つのユーザ装置は第３送信電力閾値よりも小さなダウンリンク送信電力のみを必要とすることと
のうちの少なくとも１つの条件が当てはまる場合、前記第１直交周波数分割多重接続資源領域を前記少なくとも１つのユーザ装置に割当てることを含む、請求項１に記載の伝達方法。
【請求項８】
制御チャネル情報の受信方法であって、前記受信方法は、
直交周波数分割多重接続のダウンリンクを介して一次制御チャネル情報を受信することであって、前記一次制御チャネル情報は第１直交周波数分割多重接続資源領域が少なくとも１つのユーザ装置に割当てられているという指標を含むことと、および、
前記指標を受信することによって、前記第１直交周波数分割多重接続資源領域を介して二次制御チャネル情報を受信することと
を含む、受信方法。
【請求項９】
通信装置であって、前記通信装置は、
送信器と、
前記送信器に通信可能に接続される送信処理ユニットと
を備え、前記送信処理ユニットは、
第１直交周波数分割多重接続資源領域を、複数のユーザ装置のうちの少なくとも１つに割当てるように構成され、
前記送信器を介して、前記複数のユーザ装置に一次制御チャネル情報を送信するように構成され、前記一次制御チャネル情報は前記第１直交周波数分割多重接続資源領域が前記少なくとも１つのユーザ装置に割当てられているという指標を含み、
更に前記送信処理ユニットは、前記送信器を介して、前記第１直交周波数分割多重接続資源領域内の前記少なくとも１つのユーザ装置に二次制御チャネル情報を送信するように構成される、通信装置。
【請求項１０】
通信装置であって、前記通信装置は、
受信器と、
前記受信器に通信可能に接続される受信処理ユニットと
を備え、前記受信処理ユニットは、
前記受信器によって受信される直交周波数分割多重接続のダウンリンク信号を介して、一次制御チャネル情報を受信するように構成され、前記一次制御チャネル情報は前記第１直交周波数分割多重接続資源領域が前記通信装置に割当てられているという指標を含み、
前記受信処理ユニットは更に、前記受信器を介して前記指標を受信することによって、前記第１直交周波数分割多重接続資源領域内の二次制御チャネル情報を受信するように構成される、通信装置。
【国際調査報告】
2009525628.tif 000007